(57)【要約】      （修正有）【課題】機械式バルブが、ハンドピースシェーバーの吸引経路のカニューレ内に統合されていない流体管理アセンブリを提供する。【解決手段】流体管理アセンブリが開示されている。流体管理アセンブリは、ハンドピース１０２と、スライダーベースの流体制御機構１２８と、流体閉塞部材と、を備える。スライダーベースの流体制御機構１２８は、ハンドピース１０２内に収容される。流体閉塞部材は、流体制御機構１２８と連通するように構成される。流体閉塞部材は、ハンドピース１０２と分離している。【選択図】図３
2018051287.tif 000002
【特許請求の範囲】
【請求項１】
ハンドピースと、
前記ハンドピース内に収容されたスライダーベースの流体制御機構と、
前記流体制御機構と連通するように構成されている流体閉塞部材と、
を備え、
前記流体閉塞部材が前記ハンドピースと分離していることを特徴とする流体管理アセンブリ。
【請求項２】
前記スライダーベースの流体制御機構が磁気ベースのセンサを備える、請求項１に記載の流体管理アセンブリ。
【請求項３】
前記流体閉塞部材が、前記ハンドピースと分離している機器コンソールの内部に配設されている、請求項１に記載の流体管理アセンブリ。
【請求項４】
前記機器コンソールがアクチュエータを備える、請求項３に記載の流体管理アセンブリ。
【請求項５】
前記アクチュエータが、前記流体管理アセンブリのチューブを圧搾して流れを制限するように構成されている、請求項４に記載の流体管理アセンブリ。
【請求項６】
前記流体閉塞部材がバルブを備える、請求項１に記載の流体管理アセンブリ。
【請求項７】
流体閉塞部材が、前記流体管理アセンブリの吸引カニューレを通過する流体と直接接触しないように構成されている、請求項１に記載の流体管理アセンブリ。
【請求項８】
前記ハンドピースが吸引カニューレ及び駆動シャフトを更に備え、前記吸引カニューレの全長が前記駆動シャフトと実質的に同中心である、請求項１に記載の流体管理アセンブリ。
【請求項９】
前記ハンドピースがモーター及びプリント基板を更に備え、前記吸引カニューレが前記モーターと前記プリント基板との間にある、請求項８に記載の流体管理アセンブリ。
【請求項１０】
ハンドピースを提供するステップと、
スライダーベースの流体制御機構を前記ハンドピースに接続するステップと、
前記流体制御機構と連通するように構成されている流体閉塞部材を提供するステップと、
を含み、
前記流体閉塞部材が前記ハンドピースと分離していることを特徴とする方法。
【請求項１１】
前記スライダーベースの流体制御機構が磁気ベースのセンサを備える、請求項１０に記載の方法。
【請求項１２】
前記流体閉塞部材が、前記ハンドピースと分離している機器コンソールの内部に配設されている、請求項１０に記載の方法。
【請求項１３】
前記機器コンソールがアクチュエータを備える、請求項１２に記載の方法。
【請求項１４】
前記アクチュエータが、アセンブリのチューブを圧搾して流れを制限するように構成されている、請求項１３に記載の方法。
【請求項１５】
前記流体閉塞部材がバルブを備える、請求項１０に記載の方法。
【発明の詳細な説明】
【技術分野】
【０００１】
本発明は、流体管理アセンブリに関し、より具体的には電気機械スライダーバルブ吸引コントローラに関する。
【背景技術】
【０００２】
（先行発明の簡単な説明）
従来の医療用整形外科用シェーバーは、膝、肘、肩、足首、及び手首などの患者の関節から流体及び他の遊離体を吸引して廃棄するための吸引経路を有する。吸引経路は概ね、外科手術時の吸引流量を制御するためのバルブを必要とする。現在の整形外科医療用シェーバーハンドピース装置は、ユーザーが吸引カニューレを介した吸引を制御することを可能にする、機械式バルブを有する。
【０００３】
図１は、モーター１４、ギアボックス１６、及びカップラー１８を囲むハウジング１２を有する、従来の整形外科用ハンドピースシェーバー装置１０を示す。装置１０は、ブレード（又は任意の他の好適なアタッチメント）が装置１０の前端部に取り外し可能に取り付けられるように構成される。装置１０は、吸引制御バルブ２０及び吸引カニューレ２２を更に備える。装置１０の後端部は、モーター１４との接続用のケーブル２４を受容するように構成される。更に、ボタン２６は、装置１０のユーザー制御用に提供される。
【０００４】
図１に示されているとおり、機械式バルブ２０は、ハンドピースシェーバーの吸引経路のカニューレ内に統合される。これは概ね、様々な制限及び不利益をもたらす。
【発明の概要】
【課題を解決するための手段】
【０００５】
本発明の一態様に従い、流体管理アセンブリが開示されている。流体管理アセンブリは、ハンドピースと、スライダーベースの流体制御機構と、流体閉塞部材と、を備える。スライダーベースの流体制御機構は、ハンドピース内に収容される。流体閉塞部材は、流体制御機構と連通するように構成される。流体閉塞部材は、ハンドピースと分離している。
【０００６】
本発明の別の態様に従い、方法が開示されている。ハンドピースが提供される。スライダーベースの流体制御機構は、ハンドピースに接続される。流体閉塞部材は、流体制御機構と連通するように構成される。流体閉塞部材は、ハンドピースと分離している。本発明の前述の態様及び他の形態は、添付図面に関連し、以降の説明で明白にされる。
【図面の簡単な説明】
【０００７】
【図１】従来の医療用整形外科用シェーバーの断面図である。
【図２】本発明の流体管理システム取り込み機構の斜視図である。
【図３】図２に示されている流体管理システムのシェーバーハンドピースの断面図である。
【図４】図２に示されている流体管理システムの一部分の斜視図である。
【図５】図２に示されている流体管理システムのチューブ及びバルブ部分の拡大図である。
【図６】図２に示されている流体管理システムのバルブの斜視図である。
【図７】図２に示されている流体管理システムのシェーバーハンドピースの異なるハンドグリップ位置の、様々な斜視図を提供する。
【発明を実施するための形態】
【０００８】
図２を参照すると、本発明の流体管理システム１００の取り込み機構の斜視図が示されている。本発明は、図面に示された例示の実施形態の参照によって説明されるが、本発明は、実施形態の多くの代替形態で具体化され得ることを理解されたい。加えて、要素又は材料の任意の好適な寸法、形状、又はタイプが使用され得る。
【０００９】
流体管理システム１００は、ハンドピース１０２及びコンソール１０４を備える。シェーバーチューブセット１０６は、コンソール１０４とハンドピース１０２との間に接続される。チューブセット１０６は、バルブ１０５を介してコンソール１０４に接続される。加えて、電源ケーブル１０８は、コンソール１０４とハンドピース１０２との間に接続される。
【００１０】
様々な例示の実施形態によると、コンソール１０４は、Ｓｔｒｙｋｅｒ  Ｃｏｒｐｏｒａｔｉｏｎから入手可能なシェーバーコンソールであってよい。ただし、別の実施形態では、任意の好適なタイプのシェーバーコンソール、又はその変形が提供されてもよい。
【００１１】
ここで図３も参照すると、シェーバーハンドピース１０２は、モーター１１２、連結具１１４、及び吸引カニューレ１１６を囲むハウジング１１０を備える。ハンドピース１０２は、アタッチメント１１８（例えば、ブレードなど）がハンドピース１０２の前端部に取り外し可能に接続される。モーター１１２から延在するモーターシャフトは、アタッチメント１１８に回転をもたらすため、連結具１１４の駆動ギアに係合するように構成されたピニオンギア（駆動）を備える。様々な例示の実施形態によると、アタッチメント１１８は、使い捨てブレードを受容する固定部品であるため、アタッチメント１１８自体は回転せず、（アタッチメント１１８の）インナーハブが連結具１１４に係合して、内側の使い捨てブレードを回転または振動させる。ハンドピース１０２の後端部は、モーター１１２との接続用のケーブル１２２のケーブルコネクタ１２０を受容するように構成される。また、後端部には、吸引カニューレ１１６とシェーバーチューブセット１０６との間のインターフェイス部分がある。更に、作動ボタン１２４がハウジング１１０に提供される。
【００１２】
流体管理システム１００は、スライダー１２８の内側及びその底部沿いに設けられる長い磁石１３０を有するスライダー（又は流体制御機構）を含む、スライダー電気-機械バルブを備える。スライダー１２８（及びスライダー１２８に伴う磁石１３０）は、磁石１３０が、可撓性吸引チューブセット１０６を介した流れを制限する（閉塞）バルブ１０５を制御する、ホール効果センサ１３２の上方をスライドするように移動するよう、構成される。
【００１３】
図３をなお参照すると、スライダー吸引コントローラバルブ付きのシェーバーハンドピースは、ホール効果センサ１３２がスライダー磁石１３０の位置を検出するように構成されたプリント基板（ＰＣＢ）及び電子回路部品と共に提供される。スライダーの位置（磁石の位置）に基づいて、アクチュエータ１３６付きの閉塞バルブ（又は流体閉塞部材）１０５は、シェーバーチューブセット１０６を介する吸引の流れを比例的に制限する（図４も参照されたい）。
【００１４】
例えば、図４に示されているとおり、閉塞バルブ１０５は、シェーバーコンソール１０４内に配設され、シェーバーチューブセット１０６は、バルブ１０５を通過する。アクチュエータ１３６は、シェーバーチューブセット１０６を介した流れを制限するため、「中」及び「外」に移動する。例えば、図５（閉塞弁を通過するシェーバーチューブセットの上部断面図を示す）に示されているとおり、バルブアクチュエータ１３６は、チューブ１０６を圧搾して流れを制限するように構成される（制限されていない流れは図５の左側に示され、制限されている流れは図５の右側に示されている）。
【００１５】
バルブ１０５は、例えば、Ｒｅｓｏｌｕｔｉｏｎ  Ａｉｒによって製造されたピンチバルブであってよい（図６を参照されたい）。ただし、別の実施形態では、任意の好適なバルブが提供されてもよい。上述の例では、ピンチバルブ１０５及びアクチュエータ１３６は、コンソール１０４のステッピング・モーターによって制御される。
【００１６】
本発明の様々な例示の実施形態によると、スライダー電気機械吸引制御部は、吸引カニューレ経路から離れて設けられる。この機構により、ユーザーは、異なるハンドグリップ位置を有することができる。例えば、図７ａに示されているとおり、ペン持ち形グリップ（「Ａ」を参照されたい）、掴み形グリップ（「Ｂ」を参照されたい）、下方握手形グリップ（「Ｃ」を参照されたい）、及び握手形グリップ（「Ｄ」を参照されたい）など、様々な人間工学的なハンドグリップがある。研究によると、異なるタイプの人間工学的なグリップにおいて、スライダーバルブは最も快適な操作性及び容易に到達可能な構成を有する。
【００１７】
任意の１つ又は２つ以上の例示的な実施形態の技術的効果は、従来の構成よりも有意な利点をもたらす。例えば、スライダー電気機械バルブの１つの利点は、吸引カニューレを通過する流体と直接接触しないことにある。したがって、吸引カニューレの洗浄及び消毒は、はるかに単純かつ簡単に成される。チューブブラシを使用して、はるかに効果的かつ効率的な方法で吸引カニューレを直線状に洗浄することができる。直線状の設計はまた、乱流が少ないため、より効率的な流れを可能にし、より良い層流をもたらす。直線状の設計はまた、手順中に目詰まりする可能性を最小限にするのに対し、従来の構成はこの問題を起こしやすい（a prone to）。従来の構成に対し、吸引制御バルブは、ハンドピース内でのその位置により、制限を有する。例えば、吸引制御バルブは通常、ハンドピースシェーバーの吸引カニューレ内に配置される。加えて、従来のハンドピースの洗浄及び消毒は単純ではなく、また、それがハンドピースシェーバーを再利用するための主な要因となり得る。これは、円筒形の外筒にある貫通孔及び角度の付いた吸引経路（例えば、図１を参照されたい）を有する固有の設計により、洗浄ブラシで特定の場所にアクセスすることが困難であるためである。更に、従来のハンドピースシェーバーを備えたバルブアセンブリでは、吸引経路内で確実に適切な封止を行うため、精密で慎重な組み立て（a precise carefulness assembly）が必要とされる。
【００１８】
任意の１つ又は２つ以上の例示の実施形態の更なる技術的効果は、スライダー機構を介して磁気センサによって遠隔制御される流体吸引ラインを提供する。任意の１つ又は２つ以上の例示の実施形態の別の技術的効果は、流量を遠隔制御するための磁気センサを提供する。任意の１つ又は２つ以上の例示の実施形態の別の技術的効果は、吸引制御スライダーバルブへの容易なアクセスと共に、シェーバーハンドピースシェーバー（shaver handpiece shaver）を人間工学的に扱う方法を提供する。
【００１９】
以下に、様々な非限定的な例示の実施形態の更なる説明を提供する。後述の例示の実施形態は、１つ又は２つ以上の他の態様若しくは例示の実施形態と共に実行され得る。つまり、直後に記載されているとおり、本発明の例示の実施形態は、任意の組み合わせ（例えば、好適、実際的、及び／又は実行可能である任意の組み合わせ）で実装、実行、又は使用され得るが、本明細書に記載されている、及び／又は添付の特許請求の範囲に包含されている組み合わせのみに限定されない。
【００２０】
ある例示の実施形態では、流体管理アセンブリが開示されている。流体管理アセンブリは、ハンドピースと、ハンドピースに収容されているスライダーベースの流体制御機構と、流体制御機構と流体連通するように構成された流体閉塞部材と、を備え、流体閉塞部材はハンドピースと分離している。
【００２１】
上述の流体管理アセンブリにおいて、スライダーベースの流体制御機構は、磁気ベースのセンサを備える。
【００２２】
上述の流体管理アセンブリにおいて、流体閉塞部材は、ハンドピースと分離した別の機器コンソールの内部に配設される。
【００２３】
上述の流体管理アセンブリにおいて、機器コンソールは、アクチュエータを備える。
【００２４】
上述の流体管理アセンブリにおいて、アクチュエータは、アセンブリのチューブを圧搾して流れを制限するように構成される。
【００２５】
上述の流体管理アセンブリにおいて、流体閉塞部材は、バルブを備える。
【００２６】
上述の流体管理アセンブリにおいて、流体閉塞部材は、アセンブリの吸引カニューレを通過する流体と直接接触しないように構成される。
【００２７】
上述の流体管理アセンブリにおいて、ハンドピースは、吸引カニューレ及び駆動シャフトを更に備え、吸引カニューレの全長は、駆動シャフトと実質的に同心である。
【００２８】
上述の流体管理アセンブリにおいて、ハンドピースは、モーター及びプリント基板を更に備え、吸引カニューレは、モーターとプリント基板との間にある。
【００２９】
別の例示の実施形態では、方法が開示されている。方法は、ハンドピースを提供することと、ハンドピースにスライダーベースの流体制御機構を接続することと、流体制御機構と流体連通するように構成された流体閉塞部材を提供することと、を含み、流体閉塞部材はハンドピースと分離している。
【００３０】
上述の方法において、スライダーベースの流体制御機構は、磁気ベースのセンサを備える。
【００３１】
上述の方法において、流体閉塞部材は、ハンドピースと分離した機器コンソールの内部に配設される。
【００３２】
上述の方法において、機器コンソールは、アクチュエータを備える。
【００３３】
上述の方法において、アクチュエータは、アセンブリのチューブを圧搾して流れを制限するように構成される。
【００３４】
上述の方法において、流体閉塞部材は、バルブを備える。
【００３５】
本発明の構成部品は、操作上で連結又は接続され得ることと、任意の数又は任意の組み合わせの介在要素が存在し得ること（介在要素なしを含む）と、を理解されたい。接続は直接的又は間接的であってよく、更に、構成部品間には単なる機能上の関係が存在するにすぎない場合もある。
【００３６】
前述の説明は、あくまでも本発明の例示であることを理解されたい。本発明を逸脱することなく、様々な代替物及び改良例が当業者によって考案され得る。したがって、本発明は、添付の特許請求の範囲の範囲内にある、かかるすべての代替物、改良例、及び変形形態を包含することを意図している。
【符号の説明】
【００３７】
１０  整形外科用ハンドピースシェーバー装置
１２  ハウジング
１４  モーター
１６  ギアボックス
１８  カップラー
２０  バルブ
２２  吸引カニューレ
２４  ケーブル
２６  ボタン
１００  流体管理システム
１０２  ハンドピース
１０４  コンソール
１０５  閉塞バルブ
１０６  チューブ
１０８  電源ケーブル
１１０  ハウジング
１１２  モーター
１１４  連結具
１１６  吸引カニューレ
１１８  アタッチメント
１２０  ケーブルコネクタ
１２２  ケーブル
１２４  作動ボタン
１２８  スライダー
１３０  磁石
１３２  ホール効果センサ
１３６  バルブアクチュエータ
【図１】
2018051287.tif 000003
【図２】
2018051287.tif 000004
【図３】
2018051287.tif 000005
【図４】
2018051287.tif 000006
【図５】
2018051287.tif 000007
【図６】
2018051287.tif 000008
【図７】
2018051287.tif 000009